(57)【要約】【課題】  ユーザの利便性の向上を図りつつ、嗜好性の優れた携帯型情報処理端末を提供すること。【解決手段】  電子メールの送受信を制御する電子メール送受信手段と、送受信した電子メールデータを記憶する電子メールデータ記憶手段と、を備えた携帯型情報処理端末であって、電子メールデータ記憶手段内の電子メールの送信先／送信元毎に送受信回数をカウントして当該送受信回数に基づいて電子メールの送信先／送信元情報を並び替えたアドレスリストを生成する編集手段と、この生成されたアドレスリストを表示部に表示する表示処理手段と、を備えると共に、編集手段は、送信先／送信元毎に送受信回数に基づく回数関連情報を対応させて表示するようアドレスリストに含める。【選択図】図１
2007114825.tif 000002
【特許請求の範囲】
【請求項１】
電子メールの送受信を制御する電子メール送受信手段と、送受信した電子メールデータを記憶する電子メールデータ記憶手段と、を備えた携帯型情報処理端末であって、
前記電子メールデータ記憶手段内の電子メールの送信先／送信元毎に送受信回数をカウントして当該送受信回数に基づいて電子メールの送信先／送信元情報を並び替えたアドレスリストを生成する編集手段と、この生成されたアドレスリストを表示部に表示する表示処理手段と、を備えると共に、
前記編集手段は、前記送信先／送信元毎に前記送受信回数に基づく回数関連情報を対応させて表示するよう前記アドレスリストに含める、
ことを特徴とする携帯型情報処理端末。
【請求項２】
前記編集手段は、前記回数関連情報として前記各送信先／送信元毎の送受信頻度を算出する、ことを特徴とする請求項１記載の携帯型情報処理端末。
【請求項３】
前記編集手段は、前記各送信先／送信元毎の送受信頻度を全ての送受信メール数に対する割合として算出する、ことを特徴とする請求項２記載の携帯型情報処理端末。
【請求項４】
前記編集手段は、所定の期間内における前記送受信回数に基づく前記回数関連情報を算出する、ことを特徴とする請求項１，２又は３記載の携帯型情報処理端末。
【請求項５】
前記編集手段は、前記送受信回数の多い順に前記送信先／送信元情報を並び替える、ことを特徴とする請求項１，２，３又は４記載の携帯型情報処理端末。
【請求項６】
前記編集手段は、送信メールと受信メールとに分けて、少なくとも一方の前記アドレスリストを生成する、ことを特徴とする請求項１，２，３，４又は５記載の携帯型情報処理端末。
【請求項７】
前記編集手段は、ユーザから入力された指示に応じて送信メールあるいは受信メールに対応する前記アドレスリストを生成する、ことを特徴とする請求項６記載の携帯型情報処理端末。
【請求項８】
前記表示処理手段は、前記表示部に表示した前記送信先／送信元情報のうちユーザからアドレス選択指令を受け付けると共に、
前記電子メール送受信手段は、前記選択された送信先／送信元のアドレスを送信先に設定して送信メール作成機能を作動する、
ことを特徴とする請求項１，２，３，４，５，６又は７記載の携帯型情報処理端末。
【請求項９】
携帯電話であることを特徴とする請求項１，２，３，４，５，６，７又は８記載の携帯型情報処理端末。
【請求項１０】
送受信した電子メールデータを記憶する電子メールデータ記憶手段を備えた携帯型情報処理端末に、
前記電子メールデータ記憶手段内の電子メールの送信先／送信元毎に送受信回数をカウントして当該送受信回数に基づいて電子メールの送信先／送信元情報を並び替えたアドレスリストを生成すると共に、前記送信先／送信元毎に前記送受信回数に基づく回数関連情報を対応させて表示するよう前記アドレスリストに含める編集手段と、
この生成されたアドレスリストを表示部に表示する表示処理手段と、
を実現するためのプログラム。
【請求項１１】
請求項１乃至９記載の携帯型情報処理端末を実現するためのプログラム。
【請求項１２】
送受信した電子メールデータを記憶する電子メールデータ記憶手段を備えた携帯型情報処理端末を用いて電子メールの送信先／送信元情報を表示部に表示する方法であって、
前記携帯型情報処理端末が、電子メール記憶手段内の電子メールデータの送信先／送信元毎に送受信回数をカウントし、当該送受信回数に基づいて電子メールの送信先／送信元情報を並び替えたアドレスリストを生成する編集工程と、
前記携帯型情報処理端末が、前記アドレスリストを表示部に表示する表示工程と、を有し、
前記編集工程は、前記携帯型情報処理端末が、前記送信先／送信元毎に前記送受信回数に基づく回数関連情報を対応させて表示するよう前記アドレスリストに含める、
ことを特徴とする電子メールアドレス表示方法。
【請求項１３】
前記編集工程は、前記情報処理端末が、送信メールと受信メールとに分けて、少なくとも一方の前記アドレスリストを生成する、ことを特徴とする請求項１２記載の電子メールアドレス表示方法。
【請求項１４】
前記編集工程は、前記情報処理端末が、ユーザから入力された指示に応じて送信メールあるいは受信メールに対応する前記アドレスリストを生成する、ことを特徴とする請求項１３記載の電子メールアドレス表示方法。
【請求項１５】
前記表示工程の後に、前記携帯型情報処理端末が、前記表示部に表示した前記アドレスリストのうちユーザからアドレス選択指令を受け、この選択された送信先／送信元情報のアドレスを送信先に設定して送信メール作成機能を作動するメール作成工程を有する、
ことを特徴とする請求項１２，１３又は１４記載の電子メールアドレス表示方法。
【発明の詳細な説明】
【技術分野】
【０００１】
本発明は、携帯型情報処理端末にかかり、特に、電子メール送受信機能を有する携帯型情報処理端末に関する。
【背景技術】
【０００２】
近年、携帯電話端末の機能が飛躍的に進歩しており、例えば、電子メール送受信機能は、基本的な機能として一般的な携帯電話に装備されている。そして、携帯電話にて電子メールの送信を行う際には、電子メールアドレスを直接入力したり、アドレス帳に登録したアドレスを選択したり、過去の受信メールに対して返信操作を行うなどすることで、電子メールアドレスを指定する。
【０００３】
しかし、上述したように、新規に電子メールアドレスを携帯電話にて入力する際には、操作ボタンが少ないため、電子メールアドレスに使用されるアルファベットの入力が困難であり、ユーザの手間がかかり、入力ミスも生じうる。また、過去の受信メールに対する返信の場合には、当該受信メールが他のメールに埋もれてしまい、抽出することが困難となってしまうこともあり、アドレス設定に手間がかかる、という不都合が生じる。さらには、図５に示すように、宛先入力画面（図５（ａ））にて「電話帳（アドレス帳）から引用」を選択した場合であっても、図５（ｂ）に示すように、あいうえお順やアルファベット順、数字順などに表示される中から目的のアドレスを検索しなければならず、アドレスの設定に手間と時間がかかる、という問題が生じる。
【０００４】
これに対し、下記の特許文献１には、電子メールの受信回数あるいは送信回数に基づいてアドレスリストの編集を行い、表示部に表示する技術が開示されている。また、この表示されたアドレスリストを用いて電子メールを送信することが可能であることも記載されている。
【０００５】
【特許文献１】特願平１１−２３８０２５号公報
【発明の開示】
【発明が解決しようとする課題】
【０００６】
しかしながら、上記特許文献１に開示された技術では、受信回数、送信回数別にアドレスリストが編集されるものの、ユーザは、どれほどの回数や頻度で電子メールが送信されているかを知ることができなかった。従って、自己のメール送受信状況を把握することができず、利便性及び趣向性に欠け、商品価値の向上を図ることができない、という問題が生じていた。
【０００７】
このため、本発明では、上記従来例の有する不都合を改善し、特に、ユーザの利便性の向上を図りつつ、嗜好性の優れた携帯型情報処理端末を提供する、ことをその目的とする。
【課題を解決するための手段】
【０００８】
そこで、本発明の一形態である携帯型情報処理端末は、
電子メールの送受信を制御する電子メール送受信手段と、送受信した電子メールデータを記憶する電子メールデータ記憶手段と、を備えた携帯型情報処理端末であって、
電子メールデータ記憶手段内の電子メールの送信先／送信元毎に送受信回数をカウントして当該送受信回数に基づいて電子メールの送信先／送信元情報を並び替えたアドレスリストを生成する編集手段と、この生成されたアドレスリストを表示部に表示する表示処理手段と、を備えると共に、
編集手段は、送信先／送信元毎に送受信回数に基づく回数関連情報を対応させて表示するよう前記アドレスリストに含める、
ことを特徴としている。
【０００９】
上記発明によると、まず、送受信された電子メールについて、送信先／送信元毎にその送受信回数がカウントされる。そして、カウントされた送受信回数に基づいて送信先／送信元情報が並び替えられてアドレスリストが生成される。このとき、アドレスリストには、送信先／送信元毎の送受信回数に基づく回数関連情報、例えば、送受信回数そのものや全ての送受信メール数に対する割合を表す頻度など、が含められる。その後、並び替えられた送信先／送信元情報と共に、その回数関連情報が、アドレスリストとして端末の表示部に表示される。これにより、ユーザは自己の電子メールの送信状況や、他人からの受信状況を容易に知ることができる。従って、アドレスリストに基づいて容易に電子メールを送信することができるなど、利便性に優れ、また、ユーザが電子メールの送受信状況を楽しむことができ、趣向性が向上しうる。
【００１０】
また、上記編集手段は、回数関連情報として各送信先／送信元毎の送受信頻度を算出する、ことを特徴としている。例えば、各送信先／送信元毎の送受信頻度を全ての送受信メール数に対する割合として算出したり、所定の期間内における送受信回数に基づく回数関連情報を算出する。また、編集手段は、送受信回数の多い順に送信先／送信元情報を並び替えるよう作動してもよい。さらには、編集手段は、送信メールと受信メールとに分けて、少なくとも一方のアドレスリストを生成する、ことを特徴としている。このとき、ユーザから入力された指示に応じて送信メールあるいは受信メールに対応するアドレスリストを生成する。
【００１１】
このように、送信先／送信元情報を、送信メール、受信メールごとに表示したり、また、送信あるいは受信回数の多い順に並び替えて表示したり、さらには、表示する情報を回数以外に頻度つまり全メールに対する割合などで表すことによって、よりユーザの利便性、趣向性の向上を図ることができる。
【００１２】
また、表示処理手段は、表示部に表示したアドレスリストのうちユーザからアドレス選択指令を受け付けると共に、電子メール送受信手段は、選択された送信先／送信元のアドレスを送信先に設定して送信メール作成機能を作動する、ことを特徴としている。
【００１３】
これにより、送受信回数に応じて表示されたアドレスリストからユーザは送信先／送信元を選択することで、かかる送信先／送信元のアドレスを宛先とした送信メールを新規に作成することができる。従って、送受信回数が多い順に表示されている場合には、よくメールのやり取りを行う相手に対して容易にアドレスを選択することができ、ユーザの利便性の向上を図ることができる。特に、携帯電話の場合には、操作ボタンが少ないため、電子メールアドレスに用いられるアルファベットの入力が困難であるが、上記構成にすることで、さらにユーザの利便性が向上しうる。
【００１４】
また、本発明の他の形態であるプログラムは、
送受信した電子メールデータを記憶する電子メールデータ記憶手段を備えた携帯型情報処理端末に、
電子メールデータ記憶手段内の電子メールの送信先／送信元毎に送受信回数をカウントして当該送受信回数に基づいて電子メールの送信先／送信元情報を並び替えたアドレスリストを生成すると共に、送信先／送信元毎に送受信回数に基づく回数関連情報を対応させて表示するようアドレスリストに含める編集手段と、
この生成されたアドレスリストを表示部に表示する表示処理手段と、
を実現する、ことを特徴としている。
【００１５】
さらに、本発明の他の形態である電子メールアドレス表示方法は、
送受信した電子メールデータを記憶する電子メールデータ記憶手段を備えた携帯型情報処理端末を用いて電子メールアドレスを表示部に表示する方法であって、
携帯型情報処理端末が、電子メール記憶手段内の電子メールデータの送信先／送信元毎に送受信回数をカウントし、当該送受信回数に基づいて電子メールの送信先／送信元情報を並び替えたアドレスリストを生成する編集工程と、
携帯型情報処理端末が、アドレスリストを表示部に表示する表示工程と、を有し、
編集工程は、携帯型情報処理端末が、送信先／送信元毎に送受信回数に基づく回数関連情報を対応させて表示するようアドレスリストに含める、
ことを特徴としている。
【００１６】
そして、編集工程は、情報処理端末が、送信メールと受信メールとに分けて、少なくとも一方のアドレスリストを生成する、ことを特徴としており、特に、ユーザから入力された指示に応じて送信メールあるいは受信メールに対応するアドレスリストを生成する、ことを特徴としている。
【００１７】
また、表示工程の後に、携帯型情報処理端末が、表示部に表示したアドレスリストのうちユーザからアドレス選択指令を受け、この選択された送信先／送信元のアドレスを送信先に設定して送信メール作成機能を作動するメール作成工程を有する、
ことを特徴としている。
【００１８】
上記構成のプログラムや電子メールアドレス表示方法であっても、上述した携帯型情報処理端末と同様に作動するため、上記本発明の目的を達成することができる。
【発明の効果】
【００１９】
本発明は、以上のように構成され機能するので、これによると、ユーザは自己の電子メールの送信状況や、他人からの受信状況を、アドレスリストとして表示して容易に知ることができる。従って、かかるアドレスリストに基づいて容易にアドレスを指定して電子メールが送信可能となることから、利便性に優れ、また、ユーザが電子メールの送受信状況を楽しむことができ、趣向性が向上し、商品価値の向上を図ることができる、という従来にない優れた効果を有する。
【発明を実施するための最良の形態】
【００２０】
本発明は、電子メールの送信先／送信元情報を送受信回数に基づいて並び替えて表示すると共に、その並び替えの根拠となる送受信回数などの情報を、各送信先／送信元情報に対応させて表示することに特徴を有する。以下、携帯型情報処理端末として携帯電話を一例に挙げて説明するが、本発明は携帯電話以外の携帯型情報処理端末に装備されていてもよい。特に、操作ボタンが少ないかタッチパネルであるなど、入力操作が困難な端末に好適である。
【実施例１】
【００２１】
本発明の第１の実施例を、図１乃至図４を参照して説明する。図１は、携帯電話の構成を示す機能ブロック図であり、図２乃至図３は、その動作を示すフローチャートである。図４は、携帯電話の表示画面の一例を示す図である。
【００２２】
［構成］
本実施例における携帯電話１（携帯型情報処理端末）は、一般的な携帯電話であり、パケット網などのネットワークＮに接続して電子メールの送受信を行う機能を備えている。そして、携帯電話１は、図１に示すように、ＣＰＵなどの制御装置２と、メモリなどの記憶装置３と、無線による通信部４と、テンキーを含む操作部５と、表示部６と、を備えている。
【００２３】
本実施例では、特に、制御装置２に所定のプログラムが組み込まれることにより、図１に示すように、メール送信処理部２１と、編集処理部２２と、表示処理部２３と、が構築されている。また、記憶装置３には、電子メールデータを記憶するメールデータ記憶部３０が形成されている。以下、各構成について詳述する。
【００２４】
まず、メールデータ記憶部３（電子メールデータ記憶手段）には、既に送信された送信済みメール３１や、過去に受信した受信メール３２が蓄積されている。なお、記憶装置３には、図示していないが、電話番号やメールアドレスデータが蓄積された電話帳（アドレス）なども記憶されている。
【００２５】
また、メール送受信処理部２１（電子メール送受信手段）は、携帯電話１にて電子メールの送受信を制御するよう作動する。例えば、送信メール作成機能や受信メール閲覧機能を装備した電子メールソフトウェアを起動する。そして、このメール送受信処理部２１は、ユーザによる操作部５からの入力により、電子メール作成の要求を受けると、電子メール作成画面に移行する前に、送信先となる電子メールのアドレスデータの入力方法を問う画面を表示する。その一例を図４（ａ）に示す。この図では、複数の選択肢が表示されており、例えば、「電話帳から引用」、「送信履歴から引用」、「受信履歴から引用」、「アドレスの直接入力」など、従来からのアドレス設定方法が表示される。これに加えて、本実施例では、「送信ランキングリスト」、「受信ランキングリスト」など、新たなアドレスの設定方法が表示される。そして、上記「送信ランキングリスト」、「受信ランキングリスト」がユーザによって選択された場合には、以下に説明する編集処理部２２によって処理される。なお、このメール送受信処理部２１には、後述するように、携帯電話１に表示された電子メールの送信先／送信元情報（アドレスデータを含む）がユーザの操作により選択されると、その選択された送信先／送信元情報に関連付けられたアドレスデータを電子メールの送信先として設定して、送信メール作成機能に移行するよう作動する。
【００２６】
次に、編集処理部２２（編集手段）について説明する。編集手段２２は、上述した図４（ａ）に示す「送信ランキングリスト」、「受信ランキングリスト」、つまり、ユーザによって電子メールの送信先／送信元情報となるアドレスリストの表示要求を受けると、送受信された電子メールの送信先／送信元情報を、送受信回数に基づいて並び替えて表示するよう作動する。このとき、送信済みメールと、受信メールと、に対して、それぞれ作動する。以下、詳述する。
【００２７】
例えば、上記「送信ランキングリスト」が選択されると、編集手段２２は、メールデータ記憶部３０内の送信済みメール３１にアクセスし、送信先アドレスを参照して、各送信先毎に送信回数をカウントする。このとき、カウントされた送信回数を、全送信済みメール数で除算し、各送信先毎の全送信件数に対する割合（送信頻度）を算出する。そして、上記送信回数が多い順、あるいは、送信頻度が高い順に、送信先情報を並び替えて表示部６より出力するアドレスリストを生成する。このとき、上記算出した送信頻度（回数関連情報）も各宛先アドレスと共に対応して表示されるよう、アドレスリストに含める。なお、アドレスリストとして生成され後に表示される送信先情報は、電子メールのアドレスデータそのものでもよく、アドレスデータに関連付けられた相手の名前などの情報であってもよい。
【００２８】
ここで、送信回数のカウントは、メールデータ記憶部３０内に保存されている送信済みメール全てに対して行われてもよいが、ユーザから操作部５を介して所定の期間が指定されたり、予めカウント対象となる期間が設定されている場合には（例えば、直前１週間）、その期間内において送信された送信済みメールを対象として処理を行う。
【００２９】
なお、送信先情報と共に表示される回数関連情報は、送信頻度であることに限定されない。例えば、上記カウントされた送信回数そのものであってもよい。あるいは、算出する送信頻度は、全送信済みメールに対する割合であることに限定されず、例えば、ある期間内において送信された送信済みメール数に対する割合であってもよい。また、単位時間あたりの送信頻度などが回数関連情報として算出されて表示されるようアドレスリストに含められてもよい。
【００３０】
また、上記「受信ランキングリスト」が選択されると、編集処理部２２は、メールデータ記憶部３０内の受信メール３２にアクセスし、各受信メールの送信元アドレスデータを参照して、各送信元毎に受信回数をカウントする。そして、これらのメール間にて、上述同様に、受信回数に応じて並び替えたアドレスリストを生成し、また、受信頻度などを算出してアドレスリストに含める。
【００３１】
ここで、アドレスリストとして表示される送信先／送信元情報としては、例えば、「電子メールアドレスの相手の名前」を表示する場合を説明したが、このアドレスリストを生成する際に、電子メールのアドレスデータをキーとして、携帯電話１内に記憶されている電話帳（アドレス帳）に登録されている名前を用いるよう、編集処理部２２は作動してもよい。そして、逆に、電話帳に登録されていないアドレスからの受信メールに対しては、仮に受信回数が多くランキングリストの表示対象であったとしても、表示しないように設定してもよい。これにより、広告メールなどが表示されることを抑制することができる。
【００３２】
そして、表示処理部２３（表示手段）は、上述のように生成されたアドレスリスト（送信アドレスリストあるいは受信アドレスリスト）を、表示部６に表示する。このとき、各送信先／送信元情報に対応して、上記算出した送信頻度や受信頻度なども表示される。その一例を図４（ｂ）に示す。この図に示す例では、アドレスリストとして表示される送信先情報は、「Ｈさん」や「Ｏさん」などの相手先の名前であるが、これと共に電子メールアドレスが表示されてもよく、あるいは、名前に換えて電子メールアドレスが表示されてもよい。また、この図の例では、送受信頻度が「％」にて表示されているが、いかなる表示形態でもよい。また、上述したように、送受信回数を表示してもよい。さらには、一定期間における送受信に基づいたランキングを表示してもよい。
【００３３】
また、表示処理部２３は、表示部６に表示されたアドレスリストのうち、ユーザによる操作にて、送信先／送信元情報を選択するアドレス選択指令を受けると、選択された送信先／送信元情報をメール送受信処理部２１に通知する。すると、メール送受信処理部２１では、上述したように、選択された送信先／送信元情報に関連付けられた電子メールアドレスを送信先に設定して、メール作成画面へと移行する。
【００３４】
［動作］
次に、上記構成の携帯電話１の動作を、図２乃至図３に示すフローチャートを参照して説明する。
【００３５】
まず、ユーザは、携帯電話１にてメール機能（メールソフトウェア）を起動する。そして、メール機能にて、新規メール作成を実行する（ステップＳ１）。そして、新規メール作成画面において宛先の入力を行う際に、入力方法をユーザに任意で選択させる画面が表示される（ステップＳ２）。例えば、図４（ａ）に示す画面が表示される。これに対し、ユーザがいずれかの入力方法を選択すると、かかる選択が携帯電話１にて受け付けられる（ステップＳ３）。
【００３６】
続いて、ユーザによる入力方法の選択が、「送信ランキングリスト」あるいは「受信ランキングリスト」でない場合には（ステップＳ４にて否定判断）、電話帳から、又は、送受信履歴から、メールアドレスを引用する操作がユーザにて行われたり、あるいは、ユーザにて直接入力される（ステップＳ１２）。そして、そのメールアドレスが送信先に設定された状態で、電子メールの作成が行われ（図３のステップＳ２３）、その後、送信される（図３のステップＳ２４）。
【００３７】
一方、ユーザによる入力方法の選択が、「送信ランキングリスト」あるいは「受信ランキングリスト」である場合には（ステップＳ４にて肯定判断）、送信ランキングリスト、あるいは、受信ランキングリストが生成され表示される。例えば、図４に示すように、「送信ランキングリスト」が選択されたとすると（ステップＳ５にて「送信」に進む）、まず、送信済みメールから各送信先アドレスに対する送信回数をそれぞれカウントして集計する（ステップＳ６）。また、全送信済みメールに対する各送信先アドレスへのメールの割合（送信頻度（％））を算出する（ステップＳ７）。そして、送信回数の多い順に、送信先アドレスやこれに関連付けられる送信相手の名前などの送信先情報を並び替えた送信ランキングリストを生成する（ステップＳ１０、編集工程）。このとき、上記算出した割合（送信頻度）も各送信先情報と共に表示するようリストに含める。その後、表示部６に、図４（ｂ）に示すような送信ランキングリストが表示される（ステップＳ１１、表示工程）。なお、リストに表示される送信先情報としては、例えば、電子メールのアドレスデータをキーとして、携帯電話１内に記憶されている電話帳（アドレス帳）に登録されている名前を用いる。
【００３８】
また、ユーザが「受信ランキングリスト」を選択したときも（ステップＳ５にて「受信」に進む）、上記同様の処理が行われる。つまり、まず、受信メールから各送信元アドレスからの受信回数をそれぞれカウントして集計する（ステップＳ８）。また、全受信メールに対する各送信元アドレスからのメールの割合（受信頻度（％））を算出する（ステップＳ９）。そして、受信回数の多い順に、送信元アドレスやこれに関連付けられる受信相手の名前などの送信元情報を並び替えた送信ランキングリストを生成する（ステップＳ１０、編集工程）。このとき、上記算出した割合（受信頻度）も各送信元情報と共に表示するようリストに含める。その後、表示部６に、受信ランキングリストが表示される（ステップＳ１１、表示工程）。なお、リストに表示される送信元情報としては、例えば、電子メールのアドレスデータをキーとして、携帯電話１内に記憶されている電話帳（アドレス帳）に登録されている名前を用いる。逆に、電話帳に登録されていないアドレスからの受信メールに対するリストは、表示しないよう設定してもよい。これにより、広告メールなどが表示されることを抑制することができる。
【００３９】
続いて、表示された「送信ランキングリスト」あるいは「受信ランキングリスト」から、いずれかの送信先／送信元情報がユーザにて選択されると（ステップＳ２１にて肯定判断）、選択された送信先／送信元情報に関連付けられた電子メールのアドレスデータが、新規に作成する電子メールの送信先アドレスとして設定される（ステップＳ２２）。そして、そのメールアドレスが送信先に設定された状態で、電子メールの作成が行われ（ステップＳ２３、メール作成工程）、その後、送信される（ステップＳ２４）。
【００４０】
このようにすることにより、ユーザは自己の電子メールの送信状況や、他人からの受信状況を、送信頻度によるランキングとして表示させることができ、かかる状況を容易に認識することができる。従って、ユーザが電子メールの送受信状況を楽しむことができ、趣向性が向上しうる。
【００４１】
また、ランキング表示に基づいて新規に作成する電子メールの宛先を容易に設定することができるため、よくメールのやり取りを行う相手に対して容易にアドレスを設定することができ、ユーザの利便性の向上を図ることができる。
【産業上の利用可能性】
【００４２】
本発明は、電子メールアプリケーションを搭載した携帯電話に利用することが可能であり、これにより、ユーザの利便性や趣向性が向上することから、産業上の利用可能性を有する。
【図面の簡単な説明】
【００４３】
【図１】携帯電話の構成を機能ブロック図である。
【図２】携帯電話の動作を示すフローチャートである。
【図３】携帯電話の動作を示すフローチャートであり、図２の続きを示す。
【図４】携帯電話の表示画面の一例を示す図であり、図４（ａ）は宛先入力画面を、図４（ｂ）は送信ランキングの表示例を示す。
【図５】従来例における携帯電話の表示画面の一例を示す図であり、図５（ａ）は宛先入力画面を、図５（ｂ）は電話帳画面の表示例を示す。
【符号の説明】
【００４４】
１  携帯電話（携帯型情報処理端末）
２  制御装置
３  記憶装置
４  通信部
５  操作部
６  表示部
２１  メール送受信処理部（電子メール送受信手段）
２２  編集処理部（編集手段）
２３  表示処理部（表示手段）
３０  メールデータ記憶部（電子メールデータ記憶手段）
３１  送信済みメール
３２  受信メール
【図１】
2007114825.tif 000003
【図２】
2007114825.tif 000004
【図３】
2007114825.tif 000005
【図４】
2007114825.tif 000006
【図５】
2007114825.tif 000007